(57)【特許請求の範囲】
【請求項１】
コイルに通電するとロッドがその軸方向に沿った一方向に移動し前記コイルへの通電を遮断すると前記ロッドがばねによって他方向に移動する電磁ソレノイドと、前記電磁ソレノイドのロッドに連結されたリンクと、前記リンクが取り付けられた支持体とを備えており、前記リンクによって部材が駆動される電磁ソレノイド式駆動装置であって、
前記リンクは、前記ロッドの軸心の延長線を挟んだ片側において前記支持体に枢支ピンで連結されていて、前記ロッドが一方向に移動するとリンクは前記枢支ピンを中心にして一方向に回動することが許容されており、
かつ、前記リンクにおいて枢支ピンが嵌まる穴を前記ロッドの移動方向と同じ方向に長く延びる長穴に形成することにより、前記ロッドが前記一方向に移動するに際して前記リンクが前記一方向に適宜寸法だけ平行移動してから回動に転じるように設定している、
電磁ソレノイド式駆動装置。
【請求項２】
更に、前記リンクに、前記支持体に設けたガイドピンに当たることによって前記一方向に水平移動をガイドするスライド支持部が形成されており、かつ、前記スライド支持部は、前記リンクが前記長穴のストロークだけ水平移動した後はガイドピンから離反するように設定されている、
請求項１に記載した電磁ソレノイド式駆動装置。
【請求項３】
請求項１又は２に記載した前記電磁ソレノイド式駆動装置で引出し又は扉がロックされる電気錠を備えている、
家具又は建物。
【発明の詳細な説明】
【技術分野】
【０００１】
本願発明は、電磁ソレノイド式の駆動装置及びこれを備えた家具又は建物に関するものである。
【背景技術】
【０００２】
引出しや扉を備えたキャビネット等の家具、或いは建物の扉において、引出しや扉等のロック手段として電気錠を使用することが広く行われている（例えば特許文献１参照）。
【０００３】
電気錠には駆動手段として電磁ソレノイドが使用されており、この電磁ソレノイドは、コイルに通電（励磁）するとロッド（可動鉄心）が一方向に移動し、コイルへの通電を遮断すると内蔵したばねでロッドが他方向に移動する構造になっている。そして、電気錠の場合、施錠状態ではコイルへの通電が遮断され、解錠状態ではコイルに通電されるように設定している。これは、停電でも施錠状態を確保するためである。
【０００４】
また、電気錠では、引出しや扉類をロックする閂部材をロッドで駆動するようになっているが、ロッドの往復動を閂部材の動きに変える連動機構は様々であり、一般には、ロッドと閂部材との間にリンク機構のような複数の中間部材が介在させていることが多い。
【特許文献１】実公平７−２８３６６号公報
【発明の開示】
【発明が解決しようとする課題】
【０００５】
ところで、電磁ソレノイドは電磁力でロッドを一方向に移動させるものであるが、油圧シリンダや空圧シリンダとは異なって、電磁力によるロッドの吸引力（ロッドをばねに抗して移動させる力）はロッドの移動ストロークの各部分で一定という訳ではなく、通電によってロッドが一方向に移動するに際して、移動し初めには吸引力が弱くて移動終期に行くほど吸引力が大きくなるという特性を持っている（磁石の磁力は距離に反比例するからである。）。
【０００６】
他方、例えば電磁ソレノイドを電気錠に使用する場合、閂部材を引出しや扉の係合部に確実に係脱させるにはある程度のストロークが必要である。そこで、閂部材のストロークを確保する対策としては、ロッドの往復動ストロークが大きい電磁ソレノイドを使用する方法（前者の方法）と、例えばテコ式のリンクを使用して、ロッドの往復動寸法を増幅して閂部材に伝える方法（後者の方法）とが考えられる。
【０００７】
前者の方法はロッドの往復動長さが長くなるためそれだけ電磁ソレノイドの全長が長くなり、他方、後者の方法では、電磁ソレノイドの全長は短くできるが大きなパワー（吸引力）を必要とするためにコイルの巻き数が増えることになって、これまた電磁ソレノイドが大型化するという問題がある。家具に電気錠を設ける場合、設置スペースが限られるため電磁ソレノイドはできるだけコンパクトであるのが好ましいが、従来は、被駆動部材の動作の確実性を確保しつつ電磁ソレノイドをコンパクト化することが難しかった。
【０００８】
本願発明は、このような現状を改善することを課題とするものである。
【課題を解決するための手段】
【０００９】
既述のとおり、電磁ソレノイドは通電によってロッドが一方向に移動するに際して、吸引力が移動距離と共に大きくなる特性があるが、通電によりロッドで他の部材（被駆動部材）を駆動する場合、電磁ソレノイドの吸引力は常に被駆動部材の移動抵抗よりも大きい必要がある。従って、電磁ソレノイドを選択にするに際しては、吸引力の最小値が重要な意味を持っている。
【００１０】
そして、被駆動部材をロッドで単に押し引きするだけの場合は、吸引力の最小値は小さくて済むがロッドのストロークが長くなるため電磁ソレノイドが大型化する一方、ロッドの往復動を単純な回動式のリンクを介して増幅する場合は、ロッドが仕事をする当初から大きなパワーが必要になるため電磁ソレノイドの吸引力の最小値は大きくならざるをえず、このため電磁ソレノイドはコイルの巻き数が大きくなって大型化する。
【００１１】
そして、電磁ソレノイドにおいて、コイルへの通電でロッドを一方向に移動させるに際してロッドに対する吸引力はロッドの移動距離に比例して大きくなるから、吸引力が大きい領域においてロッドに仕事をさせる（大きな負荷をかける）と電磁ソレノイドの吸引力を有効利用することができる。本願発明者は、上記のような知見と着想に基づいて各請求項の発明を完成させるに至った。
【００１２】
すなわち、請求項１の発明は、コイルに通電するとロッドがその軸方向に沿った一方向に移動し前記コイルへの通電を遮断すると前記ロッドがばねによって他方向に移動する電磁ソレノイドと、前記電磁ソレノイドのロッドに連結されたリンクと、前記リンクが取り付けられた支持体とを備えており、前記リンクによって部材が駆動される電磁ソレノイド式駆動装置であって、前記リンクは、前記ロッドの軸心の延長線を挟んだ片側において前記支持体に枢支ピンで連結されていて、前記ロッドが一方向に移動するとリンクは前記枢支ピンを中心にして一方向に回動することが許容されており、かつ、前記リンクにおいて枢支ピンが嵌まる穴を前記ロッドの移動方向と同じ方向に長く延びる長穴に形成することにより、前記ロッドが前記一方向に移動するに際して前記リンクが前記一方向に適宜寸法だけ平行移動してから回動に転じるように設定している。
【００１３】
【００１４】
請求項２の発明は、請求項１に加えて、更に、前記リンクに、前記支持体に設けたガイドピンに当たることによって前記一方向に水平移動をガイドするスライド支持部が形成されており、かつ、前記スライド支持部は、前記リンクが前記長穴のストロークだけ水平移動した後はガイドピンから離反するように設定されている。
【００１５】
本願発明は電磁ソレノイドが内蔵された家具又は建物も含んでおり、この家具又は建物は、請求項３に記載したように、請求項１又は２に記載した電磁ソレノイド式駆動装置で引出し又は扉がロックされる電気錠を備えている。
【発明の効果】
【００１６】
本願発明によると、コイルへの通電によってロッドが一方向に移動してリンクを介して被駆動部材を駆動するに際して、リンクは初めはロッドの移動方向に水平移動するが、ロッドの移動初期において電磁ソレノイドの吸引力は低い一方、リンクは水平移動する状態ではその移動に対する抵抗（負荷）は小さい。このため、電磁ソレノイドの最小吸引力が小さくてもリンク（被駆動部材）を駆動させることができる。
【００１７】
そして、リンクがある程度の寸法を水平移動（スライド）してから回動に転じると、リンクの回動に対する移動抵抗（負荷）はテコの原理と逆の現象によって大きくなるが、その状態で電磁ソレノイドは吸引力が大きくなっているため（すなわち、吸引力が大きくなっている領域でリンクを回動に転じさせる）、電磁ソレノイドのパワーを有効に利用してリンクを確実に回動させることができる。そして、リンクの回動によってロッドの移動距離を被駆動部材に増幅して伝達できるため、ロッドの全体のストロークは短くて良い。
【００１８】
このように、電磁ソレノイドを使用するにおいて、最小吸引力が小さいものを使用できること（すなわちコイルの巻き数が少ない電磁ソレノイドを使用できること）と、ロッドのストロークが短い電磁ソレノイドを使用できることとにより、被駆動部材を的確に駆動しつつ電磁ソレノイドをコンパクト化でき、かつ、消費電力も抑制できるのである。従って、家具に内蔵される電気錠のように設置スペースに制約が多い駆動装置に好適である。  
【００１９】
また、ガイド手段としてはリンクの他にガイドピンを設けるだけでよいため、構造が簡単になる利点がある。なお、ロッドでリンクを平行移動させる距離と回動させる距離との比率は必要に応じて任意に設定できるが、リンクを平行移動させるためのロッドの移動寸法が、リンクを回動させるためのロッドの移動寸法よりも小さく設定されているのが好適であると言える。
【発明を実施するための最良の形態】
【００２０】
次に、本願発明の実施形態を図面に基づいて説明する。本願発明はシステム収納家具の電気錠に適用している。
【００２１】
(1).家具の概要
図１は本願発明の実施形態に係るシステム収納家具の概略斜視図であり、システム収納家具は、複数段の引出し２を設けた下キャビネット１と、その上方に配置された上キャビネット３と、上下キャビネット１，３の間に挟み込んだ状態に配置されている薄型の中間ユニット４、上キャビネット３の上方に配置した天枠材５とで１組のシステムが構成されている。上キャビネット３は水平回動式の左右扉６，７を備えているが、引き戸式の扉であっても良い。１つのシステム式収納家具は、３つ以上のキャビネットから成っていても良い。
【００２２】
中間ユニット４は上下に開口した中空の枠状に形成されており、この中間ユニット４には、下キャビネット１の各引出し２を一斉にロックするための引出し用電気錠８と、上キャビネット３の扉６，７をロックするための扉用電気錠９とを内蔵している。中間ユニット４の前面には、前記した電気錠を操作するカードを読み取るリーダー１０，１１を設けると共に、引出し２を手動で解施錠するためのシリンダ錠１２と、扉６，７を手動で解施錠するためのシリンダ錠１３とを臨ませている。
【００２３】
なお、電気錠の解施錠方法としては、カードをかざすことでロック又はロック解除できるようにしたり、タッチパネル等の入力部に暗唱番号を入力して解施錠を行ったり、或いはリモコンで操作して解施錠するなど、様々の方式を採用できる。
【００２４】
本実施形態は、下キャビネット１の引出し２を一斉にロック・ロック解除するための電気錠に適用している。図２では、下キャビネット１において各引出し２を一斉にロック・ロック解除するオールロック機構を模式的に示している。すなわち、オールロック機構は、キャビネット１の本体の左右側面（片面でも良い）に上下動自在に配置した縦杆１４と、縦杆１４を上下動させるために下キャビネット１における本体の上部（上かまちの内部）に配置した天作動杆１５と、下キャビネット１における本体の内側面のうち各引出し２に対応した部位に回動自在に配置したロック杆１６とを備えている。
【００２５】
各ロック杆１６の前端部には、引出し２の左右側に設けた係合部１７に係脱する鉤部１６ａを形成しており、各引出し２を押し込んだ状態で縦杆１４が上昇すると、各ロック杆１６はその前部が下降動するように回動して各引出し２は一斉にロックされ、縦杆１４が下降すると、各ロック杆１６はその前部が上向き動するように回動して、一斉にロック解除される。
【００２６】
そして、天作動杆１５の左右両端部には後方に延びるアーム部１５ａを設けており、アーム部１５ａはその前後中途部を中心にして上下回動するように下キャビネット１の本体に取り付けられている。更に、アーム部１５ａの後端と縦杆１４の上端とは、アーム部１５ａがその後端を上向き動させるように回動すると縦杆１４が上昇するように当接又は連結されている。
【００２７】
従って、天作動杆１５の前部を下降動すると下キャビネット１の各引出し２は一斉にロックされ（施錠され）、天作動杆１５の前部が上昇動すると下キャビネット１の各引出し２はロック解除（解錠）される。天作動杆１５は、その前部が上向き動するようにばねで付勢されている。なお、ロック機構には様々のものがあり（例えば天作動杆１５を、その左右中間部を中心にして回動するシーソー式にしたもの）、本願発明の具体例はこの実施形態の機構に限定されるものではない。
【００２８】
(2).引出し用電気錠の構造
本実施形態では、中間ユニット４に設けた引出し用電気錠８によって天作動杆１５を回動させるようになっている。次に、引出し用電気錠８の詳細を図３に基づいて説明する。図３のうち（Ａ）の引出し用電気錠８の正面図、（Ｂ）は引出し用電気錠８の平面図、（Ｃ）は（Ａ）のＣ−Ｃ視断面図である。
【００２９】
引出し用電気錠８は、中間ユニット４の内部のうち前面よりもやや奥まった部位で略左右中間に近い部位に配置されており、電磁ソレノイド２０とリンク２１とプッシャー（中間作動体）２２とを備えており、プッシャー２２で天作動杆１５が下向きに押されることで施錠される。なお、プッシャーの形態は様々に具体化できる。
【００３０】
中間ユニット４の内部には、前後に広幅面を有する左右長手の支持体（ブラケット板）２３が配置されており、電磁ソレノイド２０とリンク２１とプッシャー２２は支持体２３の後面に取り付けられている。支持体２３は、中間ユニット４を構成する強度メンバーとしての基枠（図示せず）に固定されている。
【００３１】
電磁ソレノイド２０は、ケースとその片面から突出したロッド（可動鉄心）２４とを備えており、ケースにはコイルとばねとが内蔵されている。本実施形態では、非通電状態ではロッド２４はばねによって突出（前進）しており、コイルに通電されるとロッド２４はばねに抗して後退動する。図３ではロッド２４が前進した状態を示しており、この状態では、天作動杆１５が下向きに押された施錠状態になっている。
【００３２】
リンク２１は、その下部を中心にして回動し得るように前後長手で円形の枢支ピン２５で支持体２３に連結されており、かつ、枢支ピン２５よりも上方の部分が板状のジョイント２６を介して電磁ソレノイド２０のロッド２４と連結されている。
【００３３】
ジョイント２６は電磁ソレノイド２０のロッド２４に上下長手の第２ピン２７で水平回動可能に連結されており、また、ジョイント２６はその先端部を環状に形成してこれをリンク２１に形成した連結穴２８に嵌め入れており、これにより、ロッド２４の往復動によってリンク２１が回動するようになっている。ジョイント２６とリンク２１とはピンで連結するなどしても良い。
【００３４】
リンク２１の連結穴２８は正面視で略台形に形成されている。これは、リンク２１の姿勢の変化を許容するためである。ジョイント２６とリンク２１とは僅かのクリアランスで嵌まり合っている。なお、ジョイント２６をリンク２１の連結穴２８に嵌める方法としては、ジョイント２６を２つの部材で形成してから一体化するなどしたらよい。
【００３５】
プッシャー２２はリンク２１を挟んで電磁ソレノイド２０と反対側に配置されており、リンク２１は、引っ張りばね２９で電磁ソレノイド２０と反対側に向けて（すなわち施錠姿勢に向けて）引っ張られている。ばね２９の端部は支持体２３に突設した軸３０に取り付けられている。引っ張りばね２９は、リンク２１に対するジョイント２６の連結箇所を挟んで枢支ピン２５と反対側に配置されている。
【００３６】
枢支ピン２５を嵌めるためにリンク２１に形成した穴は左右長手の長穴３１になっており、また、リンク２１の下部のうち枢支ピン２５を挟んで電磁ソレノイド２０と反対側の部位には、同じくガイド手段の一環として、左右方向に延びる横長平坦部３１を形成しており、更に、支持体２３には、ガイド手段の一環として、横長平坦部３２が載る第１ガイドピン（突起）３３を設けている。
【００３７】
従って、リンク２１は長穴３１のストロークの範囲で左右スライド可能であり、かつ、図３（Ａ）で左側に移動し切った後は枢支ピン２５を中心にして反時計回りに回動し得る。本実施形態では、横長平坦部３２が請求項２に記載したスライド支持部になっている。
【００３８】
プッシャー２２は正面視で第１ガイドピン３３の側に向けて凹となる正面視円弧状に形成されており、同一の曲率半径の線上に形成されて２個の円弧状長穴３４を形成して、この円弧状長穴３４に、支持体２３に設けた２本の第２ガイドピン３５を嵌め入れている。従って、プッシャー２２は円弧状長穴３４のストロークで回動し得る。
【００３９】
そして、プッシャー２２の上端はリンク２１の上端部に当接させている。この場合、プッシャー２２とリンク２１とが常に点接触状態となるように、リンク２１のうちプッシャー２２に当る部分は正面視で半円状に形成しており、プッシャー２２のうちリンク２１に当接する部分は平坦状に形成している（両者を逆の関係にしても良い。）。
【００４０】
プッシャー２２の外周面には突起２２ａを設けている一方、支持体２３には２個のリミットスイッチ（センサー）３６を設けて、プッシャー２２が右回動した状態と左回動した状態とで突起２３ａが両リミットスイッチ３６の接触子３７に選択的に当たるようにしている。なお、プッシャー２２は、１本のピンで支持体２３に連結されたリンク方式とすることも可能である。
【００４１】
(3).電気錠の動き
次に、図４及び図５に基づいて引出し用電気錠８の動きと特性を説明する。図４は動きの説明図、図５のうち（Ａ）（Ｂ）は比較例を示す図、（Ｃ）は比較例と本実施形態との特性を示すグラフである。
【００４２】
図４は施錠状態から解錠状態に移行する状態を示している。すなわち、施錠状態で電磁ソレノイド２０のコイルに通電すると、ロッド２４は、電磁ソレノイド２０に内蔵したばねとリンク２１を引っ張るばね２９とに抗して後退するが、リンク２１は長穴３１のストロークＬ１だけは水平スライドし、それから、リンク２１は枢支ピン２５を中心にしてある角度α１だけ回動し、プッシャー２２はＬ２の寸法だけ移動する。
【００４３】
天作動杆１５は図示しないばねで上向きに付勢されているため（リンク２１とプッシャー２２とを連結しておいても良い）、プッシャー２２はリンク２１のスライド及び回動に連動して反時計回りに回動する。
【００４４】
そして、電磁ソレノイド２０のロッド２４とプッシャー２２とを直結していると、ロッド２４は、プッシャー２２の必要移動距離Ｌ０だけのストロークが必要になるが、本実施形態では、リンク２１が回動もすることと、リンク２１に対するジョイント２６の取り付け位置がプッシャー２２に対するリンク２１の当接位置よりも枢支ピン２５に近い部分にあることとにより、テコの原理で、ロッド２４のストロークはＬ０よりも短い寸法Ｅ０で良い。
【００４５】
つまり、施錠状態から解錠状態に移行するにおいて、初期段階では、リンク２１とロッド２４とプッシャー２２とは長穴３１のストロークと同じ距離Ｌ１，Ｅ１だけ移動し、次いで、リンク２１が回動すると、ロッド２４はＥ２だけ移動するのに対して、プッシャー２２は、Ｅ２よりも大きい寸法であるＬ２だけ移動するのである。このため、ロッド２４のストロークが短いコンパクトな電磁ソレノイド２０でありながら、プッシャー２２は天作動杆１５を確実に上下動させ得る移動ストロークを確保できるのである。なお、Ｌ０が例えば１０ｍｍの場合は、Ｌ１及びＥ１は２．５ｍｍ、Ｅ２は５ｍｍ程度でよかった。
【００４６】
次に、図５に基づいて電磁ソレノイド２０の吸引力との関係を説明する。図５のうち（Ａ）はロッド２４とプッシャー２２とを直結した電気錠の正面図、（Ｂ）は単純な回動式リンク２１′を介してプッシャー２２を往復動させる電気錠の正面図である。
【００４７】
図５（Ｃ）のグラフにおいて、横軸のストロークはロッド２４の突出寸法を示している。ａ，ｂ，ｈはそれぞれ定格が異なる電磁ソレノイドの吸引力特性を示しており、最小及び最大の吸引力はａ＞ｂ＞ｈの関係にあり、従って、ａ＞ｂ＞ｈの順でコンパクトになっている。
【００４８】
そして、（Ａ）の形態においてプッシャー２２に作用する移動抵抗（負荷）はグラフでＡの直線になり（ばね２９に抗して移動するため抵抗は漸増する）、ロッド２４′にはプッシャー２２の抵抗がそのまま作用する。そして、電磁ソレノイドにはプッシャー２２の移動初期における最小抵抗よりも大きい吸引力が必要であるため、（Ａ）の形態ではａの特性を持つ電磁ソレノイドが使用されることになり、従って、長さは長くて大型化する。
【００４９】
次に、（Ｂ）の形態においてプッシャー２２に作用する移動抵抗（負荷）はグラフでＢの直線になり、ロッド２４′のストロークは短いものの、ロッド２４′の動きを増幅させるためロッド２４′にかかる初期の負荷は（Ａ）の場合よりも高く、このため、（Ｂ）の形態ではｂの特性を持つ電磁ソレノイドが使用されることになり、従って、コイルの巻き数が多くてこれまた大型化する（太くなる）。
【００５０】
次に、本実施形態品では、リンク２１が水平スライドしている状態では、ロッド２４にはプッシャー２２の移動抵抗がそのまま作用しているに過ぎず、このため、ロッド２４の移動初期における抵抗はＡの場合と同じであり、従って、ロッド２４を移動させ始めるに際しての最小吸引力は小さくてよい。
【００５１】
そして、リンク２１が回動に転じた後は、ロッド２４を移動させるための吸引力は大きくなるが、この場合、電磁ソレノイドはその特性としてロッド２４の突出量が少なくなればなるほど吸引力は大きくなる性質があり、吸引力が大きい領域でロッド２４を移動させてリンク２１を回動させ得るため、ｈのように定格が小さくてコンパクトな電磁ソレノイドであっても、パワーを有効利用してロッド２４を確実に移動させることができるのである。
【００５２】
更に述べると、ロッド２４でプッシャー２２のような被駆動部材を動かすにおいて、単純に押し引きする場合は初期動力が小さい利点を有する反面ロッド２４のストロークが大きくなる欠点があり、回動式のリンクを介して被駆動部材を押し引きする場合はロッド２４のストロークを小さくできる反面で初期吸引力が大きくなる欠点を有しているが、本願発明は、リンクの水平移動と回動とを組み合わせることにより、初期吸引力が小さくてもリンクを回動させてロッドの移動を増幅して被駆動部材に伝達できるのであり、これにより、被駆動部材の駆動操作の確実性を損なうことなく電磁ソレノイドを小型化・コンパクト化できるのである。
【００５３】
(4).実施形態の利点
ところで、例えば図４において、リンク２１を施錠方向に引っ張るばね２９は枢支ピン２５よりも上方のどの部分に配置してもよいと考えられるが、枢支ピン２５に近い部位に配置すると、例えば振動等により、一種の支点越えの作用が生じて、リンク２１が長穴３１のストロークを移動し切る前に回動に転じる虞がある。
【００５４】
これに対し本実施形態のように、ばね２９をジョイント２６を挟んで枢支ピン２５と反対側の部位に配置すると、リンク２１は常に第１ガイドピン３３に当接し勝手に付勢されるため、リンク２１が長穴３１をスライド仕切る前に回動してしまう事態を防止できる利点がある。
【００５５】
(5).その他
本実施形態は上記の形態の他にも様々に具体化することができる。例えば電気錠に使用する場合の適用対象は家具には限らず、建物のドアや金庫など、各種のものに適用できる。また、キャビネット等の家具に適用する場合、上記した実施形態のように中間ユニットに配置することには限らず、キャビネット本体の内部に配置できることはいうもまでもない。
【００５６】
勿論、電気錠以外の駆動装置にも適用できる。更に、リンクの動きを被駆動部材の動きに伝える機構は様々のものを採用できる。
【図面の簡単な説明】
【００５７】
【図１】本願発明の実施形態に係るシステム収納家具の概略斜視図でる。
【図２】下キャビネットにおけにオールロック機構の概念図である。
【図３】電気錠の構造を示す図である。
【図４】電気錠の動きを示す図である。
【図５】電気錠の特性を示す図である。
【符号の説明】
【００５８】
１  下キャビネット
３  上キャビネット
４  中間ユニット
８  引出し用電気錠
１５  オールロック機構を構成する天作動杆
２０  電磁ソレノイド
２１  リンク
２２  プッシャー（被駆動部材）
２３  支持体（ステー）
２５  第１ピン
２６  ジョイント
３１  長穴
３２  スライド支持部を構成する横長平坦部
３３  スライド支持部を構成する第３ピン
【図１】
0004792287.tif 000002
【図２】
0004792287.tif 000003
【図３】
0004792287.tif 000004
【図４】
0004792287.tif 000005
【図５】
0004792287.tif 000006